(57)【要約】      （修正有）【課題】巻き上げた髪が崩れにくく抜脱しにくい髪止め具であって、デザイン性がよい髪止め具の提供。【解決手段】一対の差込み片２、２と、差込み片２、２の一端部２１、２１から外側に折り返すように延設されて、一端部２１、２１同士を連結する押え片３とを有し、差込み片２、２の長手方向における押え片３の長さが、長手方向における差込み片２、２の長さよりも短くなるように形成され、差込み片２、２の表面にねじり形状がつけられている髪止め具１。【選択図】図１
0003115153.tif 000002
【実用新案登録請求の範囲】
【請求項１】
一対の差込み片と、前記差込み片の一端部から外側に折り返すように延設されて、前記一端部同士を連結する押え片とを有し、
前記差込み片の長手方向における前記押え片の長さが、前記長手方向における前記差込み片の長さよりも短くなるように形成され、
前記差込み片の表面にねじり形状がつけられている
ことを特徴とする髪止め具。
【請求項２】
前記差込み片が、前記一端部間よりも他端部間が開いた略ハ字形状をなすように、互いに離間して配設されていることを特徴とする請求項１記載の髪止め具。
【請求項３】
金属製の線材により前記差込み片が形成されていることを特徴とする請求項１または２記載の髪止め具。
【請求項４】
表面に前記ねじり形状がつけられた１本の前記線材を折り曲げることにより、前記差込み片と前記押え片とが形成されていることを特徴とする請求項３記載の髪止め具。
【請求項５】
前記差込み片の表面に、前記ねじり形状として、複数の帯状凹曲面を前記差込み片の軸線の回りに螺旋状に周回させ、隣り合う前記帯状凹曲面間の稜線部を隆起させた形状がつけられていることを特徴とする請求項１、２、３、または、４記載の髪止め具。
【考案の詳細な説明】
【技術分野】
【０００１】
本考案は、髪をまとめるための髪止め具に関する。
【背景技術】
【０００２】
巻き上げた髪をまとめるための髪止め具としては、下記特許文献１に示すものがある。この髪止め具は、図９に示すように、金属製の線材を折り曲げることにより、一対の差込み片１０２、１０２と押え片１０３とを形成し、差込み片１０２、１０２にそれぞれ波形に屈曲された部分を形成している。
【０００３】
この髪止め具によれば、巻き上げた髪が押え片１０３により押さえられるので、髪型が保持されて崩れにくく、また、波形に屈曲された部分により差込み片１０２、１０２の抜脱を防いで、長時間の髪型の保持を可能としている。
【特許文献１】登録実用新案第３０９２８７９号公報
【考案の開示】
【考案が解決しようとする課題】
【０００４】
ところで、髪止め具はデザインの豊富さが要求されるものであるため、巻き上げた髪が崩れにくく抜脱しにくい髪止め具であって、デザイン性のよいものがさらに求められていた。
【０００５】
かかる要求に応じ、この考案は、巻き上げた髪が崩れにくく抜脱しにくい髪止め具であって、デザイン性がよいものを提供することを目的とする。
【課題を解決するための手段】
【０００６】
本考案の髪止め具は、一対の差込み片と、前記差込み片の一端部から外側に折り返すように延設されて、前記一端部同士を連結する押え片とを有し、前記差込み片の長手方向における前記押え片の長さが、前記長手方向における前記差込み片の長さよりも短くなるように形成され、前記差込み片の表面にねじり形状がつけられていることを特徴とする。
【０００７】
ここで、前記差込み片が、前記一端部間よりも他端部間が開いた略ハ字形状をなすように、互いに離間して配設されていることが好ましい。
【０００８】
また、金属製の線材により前記差込み片が形成されていることが好ましい。
【０００９】
さらに、表面に前記ねじり形状がつけられた１本の前記線材を折り曲げることにより、前記差込み片と前記押え片とが形成されていることが好ましい。
【００１０】
また前記差込み片の表面に、前記ねじり形状として、複数の帯状凹曲面を前記差込み片の軸線の回りに螺旋状に周回させ、隣り合う前記帯状凹曲面間の稜線部を隆起させた形状がつけられていることとしてもよい。
【考案の効果】
【００１１】
本考案の髪止め具によれば、巻き上げた髪が押え片により外側から押えられ、差込み片と押え片との間に挟みこまれるので、髪形がしっかりと保持されて崩れにくい。また、差込み片の表面にねじり形状がつけられているので、差込み片が髪に引掛かり易く、抜脱しにくい。そして、差込み片の表面のねじり形状により、見た目がよくなり、デザイン性が向上する。
【００１２】
また、差込み片を、一端部間よりも他端部間が開いた略ハ字形状をなすように、互いに離間させて配設すれば、スタイリング時の使用感が向上し、初心者でも容易に使用できる。
【００１３】
また、金属製の線材により差込み片を形成すれば、表面にねじり形状がつけられていることと相まって、光の反射により差込み片が輝いて見えるので、デザイン性がより向上する。
【００１４】
さらに、表面にねじり形状がつけられた１本の線材を折り曲げることにより、差込み片と押え片とを形成すれば、髪止め具の製作が容易である。
【考案を実施するための最良の形態】
【００１５】
以下、この考案の一実施形態である髪止め具１について、図面に基づいて説明する。
【００１６】
図１に示すように、髪止め具１は、本体部６と、本体部６に取着された装飾部４とから構成されている。
【００１７】
図２に示すように、本体部６は、金属製の線材９を折り曲げることにより形成されており、１対の細い棒状の差込み片２、２と、略Ｕ字形状の押え片３とから構成されている。差込み片２、２は、一端部２１、２１間よりも他端部２２、２２間が開いた略ハ字形状をなすように、互いに離間して配設されている。押え片３は、差込み片２、２の一端部２１、２１から外側に折り返すように延設されて、一端部２１、２１同士を連結している。ここで、外側とは、図８に示すように髪に装着した状態における頭部５側と反対の側を言う。また、折り返すとは、差込み片２、２と押え片３とが重なるまで折り返すのではなく、折り返し部分が側面視において略Ｖ字形状や略Ｕ字形状等をなすように、差込み片２、２と押え片３とがある程度離間した状態まで折り返すことを言う。
【００１８】
図３に示すように、差込み片２、２は、略同一の曲率半径で外側に膨らむように湾曲している。押え片３も、外側に膨らむように湾曲しており、また、差込み片２、２の長手方向（すなわち、図３における左右方向）における押え片３の長さＬ２は、同方向における差込み片２、２の長さＬ１よりも短くなるように形成されている。
【００１９】
線材９は、断面略円形状の線材を、内周面の断面が六角形状であって内周面が線材の外周面と摺接するような管の中に挿入し、一方向に回転させながら引き抜くことにより、表面にねじり形状をつけたものである。したがって、かかる線材９で形成された差込み片２、２及び押え片３は、表面にねじり形状がつけられている。
【００２０】
ここで、ねじり形状について詳説すると、図４（ａ）は図３のIV−IV部位拡大図であり、図４（ｂ）は図４（ａ）のｂ−ｂ部位拡大図であるが、これらの図に示すように、各差込み片２の表面には、ねじり形状として、複数の帯状凹曲面７を、差込み片２の軸線の回りに螺旋状に、かつ、互いに平行に周回させ、隣り合う帯状凹曲面７、７間の稜線部８を隆起させた形状がつけられている。押え片３の表面のねじり形状も同様である。
【００２１】
上記のように構成された髪止め具１の作用について、次に説明する。なお、図５〜８では、装飾部４を省略している。髪止め具１を用いて髪をハーフアップにまとめる場合、まず、図５に示すように髪を巻き上げる。そして、図６に示すように、髪止め具１を裏返しにして、すなわち、髪止め具１の外側を頭部５側に向けて、一端部２１、２１付近を持ち、巻き上げた髪の表面をすくう。このとき、差込み片２、２は外側（ここでは頭部５側）に膨らむように湾曲しているので、髪の表面がすくい易い。また、上記のように押え片３の長さＬ２が、差込み片２、２の長さＬ１よりも短くなるように形成されているので、髪止め具１を裏返して髪の表面をすくう際に、押え片３が邪魔になることはない。
【００２２】
次に、一端部２１、２１を持ったまま、髪止め具１を表に返しつつ、すなわち、髪止め具１の外側が頭部５側と反対側を向くように返しつつ、差込み片２、２の他端部２２、２２を巻き上げた髪の下の髪（すなわち、巻き上げた髪より頭部５側に位置する髪）に差込み、図７及び図８に示すように、押え片３が巻き上げた髪を外側から押さえるような位置に配置されるまで、差込み片２、２を髪の中に差し込む。
【００２３】
これにより、すくい上げた髪が巻き上げた髪の内側（頭部５側）に巻き込まれるので、髪がさらにしっかりと巻かれることとなる。そして、その状態で巻き上げた髪の下の髪に差込み片２、２が差し込まれるので、巻き上げた髪が下の髪に止められ、しかも、巻き上げた髪は押え片３で外側から押えられて、差込み片２、２と押え片３との間に挟みこまれるので、髪形がしっかりと保持されて崩れにくい。
【００２４】
また、髪止め具１は、差込み片２、２の表面にねじり形状がつけられているので、差込み片２、２が髪に引掛かり易く、抜脱しにくい。したがって、髪形を長時間保持することができる。
【００２５】
また、髪止め具１は、差込み片２、２が、一端部２１、２１間よりも他端部２２、２２間が開いた略ハ字形状をなすように、互いに離間して配設されており、一端部２１、２１間が小さいことから持ち易く、他端部２２、２２間が大きいことから、髪を大きくすくい上げることができる。このため、スタイリング時の使用感が向上し、初心者でも容易に使用できる。
【００２６】
また、差込み片２、２の表面にねじり形状をつけることにより、見た目がよくなり、デザイン性が向上する。特に、表面にねじり形状がつけられた金属製の線材９により差込み片２、２を形成すれば、光の反射により差込み片２、２がきらきらと輝いて見えるので、デザイン性がより向上する。
【００２７】
また、表面にねじり形状がつけられた１本の線材９を折り曲げることにより、差込み片２、２と押え片３とを形成すれば、２本の線材を縒り合わせることによりねじり形状をつける場合等に比べ、髪止め具１の製作が容易である。
【００２８】
なお、髪止め具１では、差込み片２、２の表面に、全体的にねじり形状がつけられているが、例えば差込み片２、２の中央部の表面にのみ、ねじり形状をつける等、部分的にねじり形状をつけることとしてもよい。また、押え片３の表面にはねじり形状をつけないこととしてもよい。また、ねじり形状も適宜変更可能であり、例えば、複数の帯状凹曲面７のうちの一部を、他の帯状凹曲面７に対して交差させるようにしてもよい。
【００２９】
また、髪止め具１では、差込み片２、２を外側に膨らむように湾曲させて、装着時の安定感、フィット感が得られるようにしたが、この点を考慮しなければ、差込み片２、２を湾曲させず、例えば側面視において略直線状となるように構成してもよい。
【００３０】
また、押え片３の形状は、上記のような略Ｕ字形状の他、略Ｍ字形状や板状等であってもよい。
【００３１】
すなわち、実用新案登録請求の範囲を逸脱しない範囲で、本考案は種々の構成を採り得る。
【図面の簡単な説明】
【００３２】
【図１】本考案の一実施形態の髪止め具の斜視図である。
【図２】装飾部を省略した図１の髪止め具の正面図である。
【図３】装飾部を省略した図１の髪止め具の側面図である。
【図４】（ａ）は図３のIV−IV部位拡大図であり、（ｂ）は（ａ）のｂ−ｂ部位拡大図である。
【図５】装飾部を省略した図１の髪止め具を髪に装着するときの説明図であり、髪を巻き上げている状態の図である。
【図６】装飾部を省略した図１の髪止め具を髪に装着するときの説明図であり、巻き上げた髪の表面をすくっている状態の図である。
【図７】装飾部を省略した図１の髪止め具を髪に装着したときの説明図であり、装着者の上方から見た図である。
【図８】装飾部を省略した図１の髪止め具を髪に装着したときの説明図であり、装着者の後方から見た図である。
【図９】従来の髪止め具の正面図である。
【符号の説明】
【００３３】
１…髪止め具
２…差込み片
３…押え片
７…帯状凹曲面
８…稜線部
９…線材
２１…一端部
２２…他端部
【図１】
0003115153.tif 000003
【図２】
0003115153.tif 000004
【図３】
0003115153.tif 000005
【図４】
0003115153.tif 000006
【図５】
0003115153.tif 000007
【図６】
0003115153.tif 000008
【図７】
0003115153.tif 000009
【図８】
0003115153.tif 000010
【図９】
0003115153.tif 000011